(57)【特許請求の範囲】
【請求項１】
下カバーと、
前記下カバーに移動可能に設置され、前記下カバーに相対する移動方向で移動するスイッチ素子と、
前記下カバーに設置され、前記スイッチ素子と電気接続された主回路板と、
前記下カバーと結合して、前記下カバーとの間に前記スイッチ素子および前記主回路板を配置した上カバーと、を備え、
前記スイッチ素子が、
前記下カバーに移動可能に設置された台座と、
前記台座に設置されたスイッチ回路板と、
前記スイッチ回路板に設置されたスイッチと、を備え、
前記下カバーが、前記台座の移動経路上に設置された限位部を有し、前記下カバーに相対する前記台座の移動距離を制限し、
前記下カバーが、第１定位部を有し、前記台座の前記下カバーに向いた表面に、第２定位部が設置され、前記第２定位部が前記第１定位部に対応してはまり込むことによって、前記下カバーに相対する前記台座の位置が決定される、スイッチ位置の調整が可能なマウス。
【請求項２】
下カバーと、
前記下カバーに移動可能に設置され、前記下カバーに相対する移動方向で移動するスイッチ素子と、
前記下カバーに設置され、前記スイッチ素子と電気接続された主回路板と、
前記下カバーと結合して、前記下カバーとの間に前記スイッチ素子および前記主回路板を配置した上カバーと、を備え、
前記スイッチ素子が、
前記下カバーに移動可能に設置された台座と、
前記台座に設置されたスイッチ回路板と、
前記スイッチ回路板に設置されたスイッチと、を備え、
前記下カバーが、前記台座の移動経路上に設置された限位部を有し、前記下カバーに相対する前記台座の移動距離を制限し、
前記下カバーが、第１限位部を有し、前記台座が、第２限位部を有し、前記第１限位部と前記第２限位部が互いに干渉することによって、前記下カバーに相対する前記台座の移動距離が制限され、
前記第１限位部および前記第２限位部のうち、１つは凸軸であり、もう１つは矩形枠であり、前記凸軸が、前記矩形枠の開口内に設置された、スイッチ位置の調整が可能なマウス。
【請求項３】
前記上カバーが、クリックボタンを有し、前記クリックボタンに対応して前記スイッチ素子が設置された請求項１または請求項２記載のスイッチ位置の調整が可能なマウス。
【請求項４】
前記クリックボタンに設置されたホイールボタンをさらに備えた請求項３記載のスイッチ位置の調整が可能なマウス。
【請求項５】
前記第１定位部および前記第２定位部のうち、１つは凹槽であり、もう１つは凸点である請求項１記載のスイッチ位置の調整が可能なマウス。
【請求項６】
前記限位部が、凸リブである請求項１または請求項２記載のスイッチ位置の調整が可能なマウス。
【請求項７】
前記スイッチ素子が、前記台座の一側に設置され、前記下カバーの外に突出したシフトレバーをさらに備えた請求項１または請求項２記載のスイッチ位置の調整が可能なマウス。
【請求項８】
回転ボタンをさらに備え、前記回転ボタンの一部が前記下カバーの外に露出して、一部が前記スイッチ素子と連接しているため、前記回転ボタンを回すことによってスイッチ素子が動く請求項１または請求項２記載のスイッチ位置の調整が可能なマウス。
【請求項９】
前記回転ボタンの部分が歯車であり、前記スイッチ素子がのこぎり歯状目盛り部を有するため、前記歯車と前記スイッチ素子の前記のこぎり歯状目盛り部が噛み合うようになった請求項８記載のスイッチ位置の調整が可能なマウス。
【請求項１０】
前記回転ボタンが、前記回転ボタンの前記下カバーの外に露出した部分に設けられた少なくとも１つの突出部をさらに有し、前記突出部の位置によって、前記下カバーに相対する前記スイッチ素子の位置が決定される請求項８記載のスイッチ位置の調整が可能なマウス。
【請求項１１】
回転ボタンをさらに備え、前記回転ボタンの一部が前記下カバーの外に露出して、一部が前記スイッチ素子と連接しているため、前記回転ボタンを回すことによってスイッチ素子が動く請求項１または請求項２記載のスイッチ位置の調整が可能なマウス。
【請求項１２】
前記スイッチ素子と前記回路板の間に連接された軟バス線をさらに備えた請求項１または請求項２記載のスイッチ位置の調整が可能なマウス。
【発明の詳細な説明】
【技術分野】
【０００１】
本発明は、マウスに関するものであり、特に、個人の使用習慣に合わせてスイッチ位置の調整が可能なマウスに関するものである。
【背景技術】
【０００２】
コンピュータの普及に伴い、現在、労働者がコンピュータを使って文書の処理作業を行う時間もますます長くなっている。既存のマウスは、左右のクリックボタン内のスイッチ構造が、内部の回路に対して固定された位置に設計されている（または、内部の回路板の上に直接設置されている）ため、ユーザーが長時間一定の姿勢でマウスを使用した時、手が疲労して、手や腕に傷害を負わせやすい。
【０００３】
また、それぞれのユーザーの使用習慣は全て異なるため、大量生産された同じ形のマウスは、各ユーザーの使用習慣に完全に合わせることができない。さらに詳しく説明すると、それぞれのユーザーの指の長さ、手でマウスを握っている時の弧度、指先でマウスのボタンを押す力等は全て異なっており、各種マウスのボタンがスイッチに接触するモーメントアーム（moment arm）の設計も全てが同じというわけではない。これらの要素は全てユーザーがマウスのボタンを押す力の強さに影響を与える。
【発明の概要】
【発明が解決しようとする課題】
【０００４】
したがって、どのようにしてユーザー個人の習慣に合ったマウスを提供し、これによって、ユーザーがマウスを長時間操作して引き起こされる疲労や傷害を軽くするかが、現在、重要な課題となっている。
【課題を解決するための手段】
【０００５】
本発明は、個人の使用習慣に合わせてスイッチ位置の調整が可能なマウスを提供することを目的とする。
【０００６】
本発明は、下カバーと、スイッチ素子と、主回路板と、上カバーとを備えたスイッチ位置の調整が可能なマウスを提供する。スイッチ素子は、下カバーに移動可能に設置され、下カバーに相対する移動方向で移動するのに適する。主回路板は、下カバーに設置され、スイッチ素子と電気接続される。上カバーは、下カバーと結合して、上カバーと下カバーの間にスイッチ素子および主回路板が配置される。
【０００７】
本発明のスイッチ位置の調整が可能なマウスの実施形態中、上述した上カバーは、クリックボタンを有し、クリックボタンに対応してスイッチ素子が設置される。また、マウスは、さらに、クリックボタンに設置されたホイールボタンを有する。
【０００８】
本発明のスイッチ位置の調整が可能なマウスの実施形態中、上述したスイッチ素子は、台座と、スイッチ回路板と、スイッチとを備える。台座は、下カバーに移動可能に設置され、スイッチ回路板は、台座に設置される。スイッチは、スイッチ回路板に設置される。下カバーは、第１定位部を有し、台座の下カバーに向いた表面には、第２定位部が設置され、第２定位部が第１定位部に対応してはまり込むことによって、下カバーに相対する台座の位置が決定される。第１定位部および第２定位部のうち、１つは凹槽であり、もう１つは凸点である。また、下カバーが台座の移動経路に設置する限位部（凸リブ）を有することにより、下カバーに相対する台座の移動距離が制限される。スイッチ素子は、さらに、下カバーの外に突出したシフトレバーを有し、台座の一側に設置される。あるいは、下カバーは、第１限位部を有し、台座は、第２限位部を有し、第１限位部と第２限位部が互いに干渉することによって、台座の下カバーに対する移動距離が制限される。第１限位部および第２限位部のうち、１つは凸軸であり、もう１つは矩形枠であり、凸軸は、矩形枠の開口内に設置される。
【０００９】
本発明のスイッチ位置の調整が可能なマウスの実施形態中、さらに、回転ボタンを備え、回転ボタンの一部が下カバーの外に露出して、この一部がスイッチ素子と連接しているため、回転ボタンを回すことによってスイッチ素子が動く。回転ボタンの部分は歯車であり、スイッチ素子はのこぎり歯状目盛り部を有するため、歯車とスイッチ素子ののこぎり歯状目盛り部が噛み合うようになっている。また、回転ボタンは、さらに、少なくとも１つの突出部を有し、回転ボタンの下カバーの外に露出した部分に設けられ、突出部の位置によって、下カバーに相対するスイッチ素子の位置が決定される。
【００１０】
本発明のスイッチ位置の調整が可能なマウスの実施形態中、さらに、スイッチ素子と回路板の間に連接された軟バス線(BUS LINE)を備える。
【発明の効果】
【００１１】
以上のように、本発明のスイッチ位置の調整が可能なマウスのスイッチ素子は、下カバーに相対して移動することができるため、ユーザーは、使用習慣に基づいてクリックボタンに相対するスイッチの位置を調整し、習慣の力で押すことができる。
【００１２】
本発明の上記及び他の目的、特徴、および利点をより分かり易くするため、図面と併せた幾つかの実施形態を以下に説明する。
【図面の簡単な説明】
【００１３】
【図１】マウスの立体概略図である。
【図２】図１のマウスの局部を示す透視図である。
【図３】図１のマウスの断面立体図である。
【図４】ユーザーの手が図１のマウスを握った時の概略図である。
【図５】下カバーに相対するスイッチ素子の位置の変化を示す概略図である。
【図６】下カバーに相対するスイッチ素子の位置の変化を示す概略図である。
【図７】下カバーに相対するスイッチ素子の位置の変化を示す概略図である。
【図８】本発明の第２実施形態に係るマウスの上カバーと回路板を省略した平面図である。
【図９】本発明の第３実施形態に係るマウスにおいて、下カバー、スイッチ素子および回転ボタンのみを示した平面図である。
【発明を実施するための形態】
【００１４】
本発明のマウスのスイッチ素子は、下カバーに相対して移動することができるため、ユーザーは、上カバーのクリックボタンに相対するスイッチ素子のスイッチの位置を調整し、モーメントアームを変更して個人の使用習慣に基づいてマウスの上カバーのクリックボタンを押す力の強さを決定することができ、さらに、ユーザーが長時間マウスを操作した時に生じる疲労と傷害を軽減することができる。
【００１５】
以下、実施形態に基づいて、下カバーに相対するスイッチ素子の移動の可能な実施方式について説明するが、当該技術分野の技術者であれば、本発明の精神を脱しない範囲内で、実際の要求に基づいて変更を行うことが可能である。
【００１６】
［第１実施形態］
図１は、スイッチ位置の調整が可能なマウスの立体概略図である。図２は、図１のマウスの局部を示す透視図である。図１および図２を同時に参照すると、スイッチ位置の調整が可能なマウス１００は、上カバー１１０と、下カバー１２０と、スイッチ素子１３０と、主回路板１４０とを備える。下カバー１２０と上カバー１１０は、一つに組み立てられ、スイッチ素子１３０は、下カバー１２０の上に移動可能に設置される。スイッチ素子１３０は、移動方向Ｄ上で下カバー１２０に相対して移動するのに適する。主回路板１４０は、下カバー１２０に設置され、スイッチ素子１３０と電気接続される。スイッチ素子１３０および主回路板１４０は、上カバー１１０と下カバー１２０の間に配置される。
【００１７】
続いて、上カバー１１０は、クリックボタン１１２を有し、クリックボタン１１２に対応してスイッチ素子１３０が設置される。また、スイッチ素子１３０は、クリックボタン１１２に設置されたホイールボタン１５０を備える。また、スイッチ素子１３０は、台座１３２と、スイッチ回路板１３４と、スイッチ１３６とを備える。台座１３２は、下カバー１２０に移動可能に設置される。スイッチ回路板１３４は、台座１３２に設置され、台座１３２の動きを受けて移動方向Ｄに沿って下カバーに相対して移動するのに適する。スイッチ１３６は、スイッチ回路板１３２の上に設置される。また、スイッチ素子１３０は、さらに、下カバー１２０の外に突出したシフトレバー１３８を有し、シフトレバー１３８は、台座１３２の一側に設置される。
【００１８】
図３は、図１のマウスの断面立体図である。図１、図２および図３を同時に参照すると、下カバー１２０は、第１定位部１２２を有し、各台座１３２の下カバー１２０に向いた表面に、第２定位部１３２ａが設置される。本実施形態の第１定位部１２２は、複数の凹槽１２２ａ、１２２ｂ、１２２ｃによって定義され、第２定位部１３２ａは凸点であり、第２定位部１３２ａが第１定位部１２２のうちの１つの凹槽１２２ａ、１２２ｂまたは１２２ｃに対応してはまり込むことによって、下カバー１２０に対応する台座１３２の位置が決定される。本実施形態の第１定位部１２２が複数の複数の凹槽１２２ａ、１２２ｂおよび１２２ｃによって定義され、第２定位部１３２ａが凸点であることは、説明のために用いただけであって、その他の図示していない実施形態において、第１定位部１２２が凸点で、第２定位部１３２ａが複数の凹槽であってもよく、あるいは、相互に組み合わせて定位効果を達成できるその他の構造を代わりに用いてもよい。
【００１９】
引き続き図１、図２および図３を参照すると、下カバー１２０は、さらに、第１限位部１２４を有し、台座１３２は、第２限位部１３２ｂを有する。本実施形態の第１限位部１２４は、凸軸であり、第２限位部１３２ｂは、１つの矩形枠であり、凸軸は、矩形枠の開口内に設置される。第１限位部１２４および第２限位部１３２ｂが互いに干渉することによって、下カバー１２０に相対する台座１３２の移動距離が制限される。
【００２０】
図４は、ユーザーの手が図１のマウスを握った時の概略図であり、図５〜図７は、下カバーに相対するスイッチ素子の位置の変化を示す概略図である。図４および図５を同時に参照すると、ユーザーが本実施形態のマウス１００を使用する時、ユーザーの手はマウス１００の上カバー１１０を覆い、人差し指と中指は、それぞれ２つのクリックボタン１１２の上に置かれ、親指と薬指（または小指）は、マウス１００の側面に添えられる。
【００２１】
図５に示すように、本実施形態のスイッチモジュール１３０の台座１３２の第２定位部１３２ａは、第１定位部１２２のうちの１つの凹槽１２２ｂの中に対応して配置される。一般的な通常の使用方式では、ユーザーは、人差し指または中指でクリックボタン１１２を押して指令を入力し、人差し指または中指でホイールボタン１５０を回してウィンドウのスクロールバーをスクロールする。ユーザーがクリックボタン１１２を押した時、クリックボタン１１２は、下向きに力が入ってスイッチ１３６に接触し、信号を生成する。スイッチ回路板１３４は、その信号をマウス１００の主回路板１４０を介してコンピュータ本体の中の回路板に伝送し、コンピュータスクリーン上にカーソルの位置を示したり、プログラムを実行したりする。
【００２２】
なお、ユーザーがクリックボタン１１２を押した時に、指先が特にクリックボタン１１２に加える力を加重したり軽減したりする必要があると感じる場合、現在、クリックボタン１１２を押してスイッチ１３６に接触しているモーメントアームは、ユーザーの使用に適合していないことを示す。この時、ユーザーは、親指または薬指でマウス１００の下カバー１２０の両側に突出したシフトレバー１３８を動かして、スイッチ素子１３０と下カバー１２０の相対位置を変更することができるため、ユーザーは、より快適に、且つ習慣の力でマウス１００を使用することができる。
【００２３】
図１、図２および図５を同時に参照し、詳細に説明すると、ユーザーがクリックボタン１１２を押した時に、指先が特にクリックボタン１１２に加える力を加重する必要があると感じる場合、クリックボタン１１２に手の力を加えてスイッチ１３６に接触するモーメントアームが短すぎることを示す。この時、図６に示すように、シフトレバー１３８をマウス１００の前側Ｆに向かって動かすと、シフトレバー１３８の受力によって、スイッチ素子１３０の台座１３２を移動方向Ｄ上で移動させることができる。この時、図６のスイッチ１３６は、図５のスイッチ１３６よりも前方にあり、力率が同じ状況で、モーメントアームが増加するため、クリックボタン１１２に加えるユーザーの力を減らすことができる。つまり、ユーザーは、比較的軽い力でクリックボタン１１２を押すことができる。
【００２４】
ちなみに、下カバー１２０に設置された凸軸の第１限位部１２４は、図２に示すように、台座１３２且つ矩形枠の第２限位部１３２ｂの開口の中に配置され、開口の大きさによって下カバー１２０に相対して移動する台座１３２の距離を制限する。台座１３２を制限するには、移動方向Ｄの上で往復移動するだけでよく、回転やその他の方向に移動することはない。
【００２５】
また、図５および図６を同時に参照すると、凸点の第２定位部１３２ａは、台座１３２の移動に伴って、下カバー１２０上の第１定位部１２２の凹槽１２２ｂから離脱して、もう１つの凹槽１２２ａの中にはまり込む。凸点が凹槽にはまることによって、下カバー１２０に相対する台座１３２の位置を定めることができるだけでなく、ユーザーがシフトレバー１３８を動かした時に、凸点と凹槽の位置を解除して新たにはまり込む切り換えの感覚を得ることができるため、シフトレバー１３８を継続して動かすかどうかを判断することができる。図３および図５〜図７において、凹槽を設置する数は３個であるが、本発明はこれに限定されず、実際の要求に基づいて変更してもよい。
【００２６】
図１、図２および図５を同時に参照すると、逆に、ユーザーがクリックボタン１１２を押した時に、指先が特にクリックボタン１１２に加える力を軽減する必要があると感じる場合、クリックボタン１１２に指の力を加えてスイッチ１３６に接触するモーメントアームが長すぎることを示す。この時、図７に示すように、シフトレバー１３８をマウス１００の後側Ｂに向かって動かすと、シフトレバー１３８の受力によって、スイッチ素子１３０の台座１３２を移動方向Ｄ上で移動させることができ、第２定位部１３２ａが凹槽１２２ｂから離脱して、台座１３２の移動に伴って凹槽１２２ｃの中にはまり込む。この時、図７のスイッチ１３６は、図５のスイッチ１３６よりも後方にあり、力率が同じ状況で、モーメントアームが短縮するため、クリックボタン１１２に加えるユーザーの力を増やすことができる。つまり、ユーザーは、比較的強い力でクリックボタン１１２を押すことができる。
【００２７】
以上のように、ユーザーは、下カバー１２０に相対するスイッチ素子１３０の位置を変えることによって、モーメントアームを調整して、個人の習慣の力に基づいてクリックボタン１１２を押すことができ、さらに、ユーザーが長時間マウスを操作した時に生じる疲労や傷害を軽減し、人間工学に符合させることができる。
【００２８】
また、図１に示すように、スイッチ素子１３０と回路板１４０の電気接続を保持するため、マウス１００は、さらに、軟バス線１６０（図１に２本示す）を備え、スイッチ素子１３０は、軟バス線１６０によって回路板１４０と互いに連接する。本実施形態のマウス１００では、軟バス線１６０を使用してスイッチ素子１３０と回路板１４０の電気接続を保持するが、本発明はこれに限定されない。本技術分野における技術者であれば、その他の方法でスイッチ素子１３０と回路板１４０の電気接続を保持することが可能である。例えば、下カバー１２０に主回路板１４０の電気特性から延伸した複数の第１接点（図示せず）を設置し、各スイッチ素子１３０にスイッチ回路板１３４から台座１３２を通過して延伸した第２接点（図示せず）を設け、台座１３２に連動するが下カバー１２０に相対する第２接点の位置をその中の１つの第１接点と接触させて電気接続する。
【００２９】
［第２実施形態］
本実施形態は第１実施形態とほぼ同じであるが、スイッチ素子１３０の移動経路を制限する方法が異なる。以下、異なる部分についてのみ詳しく説明する。
【００３０】
図８は、本発明の第２実施形態のマウスの平面図であり、説明を容易にするため、上カバーと回路板を省略し、下カバーとスイッチ素子のみを示した。本実施形態のマウス２００において、スイッチ素子１３０の移動経路を制限するための方法は、下カバー２２０に複数の限位部２２２を設置し、これらの限位部２２２をスイッチ素子１３０の移動経路上に配置して、下カバー２２０に相対するスイッチ素子１３０の移動距離を制限する。これらの限位部２２２は、凸リブであり、凸リブの形状は、長方形またはＬ形でもよく、実際の要求に基づいて限位部２２２の形状を選ぶことができる。
【００３１】
［第３実施形態］
本実施形態は、第１、第２実施形態に類似するが、スイッチ素子を下カバーに相対して移動させるためのユーザーの動かし方が異なる。以下、異なる部分についてのみ詳しく説明する。
【００３２】
図９は、本発明の第３実施形態のマウスの平面図であり、説明を容易にするため、上カバーと回路板を省略し、下カバー、スイッチ素子および回転ボタンのみを示した。図９を参照すると、本実施形態において、スイッチ素子１３０には、第１実施形態のようなシフトレバー１３８はない。その代り、回転ボタン３７０を使用してスイッチ素子１３０を下カバー２２０に相対して移動させる。
【００３３】
詳しく説明すると、マウス３００は、回転ボタン３７０を備え、この回転ボタン３７０の一部は、下カバー２２０の外に露出し、スイッチ素子１３０と連接する。図９に示すように、本実施形態の回転ボタン３７０とスイッチ素子が互いに接する部分は歯車であり、スイッチ素子１３０の台座１３２の一側はのこぎり歯状目盛り部１３２ｃを有するため、歯車と噛み合うようになっている。のこぎり歯状目盛り部１３２ｃの設置位置およびのこぎり歯の数は、実際の要求に基づいて設置することができるため、実施方式の１つとしてのこぎり歯状目盛り部１３２ｃを台座１３２に設置しているが、本発明はこれに限定されない。
【００３４】
第１実施形態に類似して、ユーザーが個人の習慣または使用の要求に基づいて下カバー２２０に相対するスイッチ素子１３０の位置を変えたい時、ユーザーが指で回転ボタン３７０を回し、回転ボタン３７０の回転および回転ボタン３７０と噛み合うのこぎり歯状目盛り部１３２ｃによって、スイッチ素子１３０を移動方向Ｄ上で移動させる。
【００３５】
また、回転ボタン３７０は、さらに、少なくとも１つの突出部３７２を有し、回転ボタン３７０の下カバー２２０の外に露出した部分に設けられる。ユーザーは、突出部３７２の位置によって、下カバー２２０に相対するスイッチ素子１３０の位置を判断し、決定することができる。
【００３６】
また、第２実施形態と同じように、スイッチ素子１３０の移動距離を制限するために、下カバー２２０に複数の限位部２２２を設置する。これらの限位部２２２は凸リブであり、スイッチ素子１３０の移動経路上に配置される。凸リブの形状は、実際の要求に基づいて変更することができる。
【００３７】
以上のように、本発明のマウスのスイッチ素子は、下カバーに相対する位置を変更することができるため、ユーザーは、自己の使用要求および習慣に基づいて本発明のマウスを快適に使用することができ、さらに、ユーザーが長時間マウスを操作した時に生じる疲労や傷害を軽減することができ、人間工学の要求に符合させることができる。
【００３８】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３９】
１００、２００、３００    マウス
１１０    上カバー
１１２    クリックボタン
１２０、２２０    下カバー
１２２    第１定位部
１２２ａ、１２２ｂ、１２２ｃ    凹槽
１２４    第１限位部
１３０    スイッチ素子
１３２    台座
１３２ａ    第２定位部
１３２ｂ    第２限位部
１３２ｃ    のこぎり歯状目盛り部
１３４    スイッチ回路板
１３６    スイッチ
１３８    シフトレバー
１４０    主回路板
１５０    ホイールボタン
１６０    軟バス線
２２２    限位部
３７０    回転ボタン
３７２    突出部
Ｂ    後側
Ｄ    移動方向
Ｆ    前側
【図１】
0005209024.tif 000002
【図２】
0005209024.tif 000003
【図３】
0005209024.tif 000004
【図４】
0005209024.tif 000005
【図５】
0005209024.tif 000006
【図６】
0005209024.tif 000007
【図７】
0005209024.tif 000008
【図８】
0005209024.tif 000009
【図９】
0005209024.tif 000010